(57)【特許請求の範囲】
【請求項１】
マスク本体の左右両端部に耳掛け用の掛け紐を設けてなるマスクに保持されて使用されるフェイスシールドであって、
目保護部及び口保護部が設けられたシールド本体と、このシールド本体の左右両側部に連設されたマスク係止部とを備えたものであり、
左右に配置された前記マスク係止部のそれぞれには、前記掛け紐の上部及び下部が係わり合う上下の掛け紐係止部分を備えたものであり、
左右に配置された前記上下の掛け紐係止部分が、それぞれ、第一の係止部と、この第一の係止部とは異なる位置に設けられた第二の係止部とを備えているものであり、
前記第一の係止部が、上下方向に延びてなり前記掛け紐が挿通される長孔であるフェイスシールド。
【請求項２】
マスク本体の左右両端部に耳掛け用の掛け紐を設けてなるマスクに保持されて使用されるフェイスシールドであって、
目保護部及び口保護部が設けられたシールド本体と、このシールド本体の左右両側部に連設されたマスク係止部とを備えたものであり、
左右に配置された前記マスク係止部のそれぞれには、前記掛け紐の上部及び下部が係わり合う上下の掛け紐係止部分を備えたものであり、
左右に配置された前記上下の掛け紐係止部分が、それぞれ、第一の係止部と、この第一の係止部とは異なる位置に設けられた第二の係止部とを備えているものであり、
前記第二の係止部が、前記マスク係止部の側端縁から切り込まれたスリットであるフェイスシールド。
【請求項３】
前記目保護部が、使用者における目の前側を全面的に覆い得るものであり、
前記口保護部が、前記マスク本体における前側を全面的に覆い得るものである請求項１又は２記載のフェイスシールド。
【請求項４】
前記第一の係止部が、上下方向に延びてなり前記掛け紐が挿通される長孔である請求項２記載のフェイスシールド。
【請求項５】
前記第二の係止部が、前記マスク係止部の側端縁から切り込まれたスリットである請求項１記載のフェイスシールド。
【請求項６】
前記スリットが、少なくとも、上スリットと、この上スリットよりも下に配された下スリットであって、
前記上スリット及び前記下スリットが、前記上の掛け紐係止部分における前記第二の係止部及び前記下の掛け紐係止部分における前記第二の係止部のそれぞれに設けられたものであり、
前記上スリット又は前記下スリットに前記掛け紐を係止させることにより、前記マスクの使用者の顔に対する高さ位置を調整可能である請求項２又は５記載のフェイスシールド。
【請求項７】
前記上スリットと前記下スリットが略平行に設けられたものであり、前記第一の係止部よりも外側縁側に設けられている請求項６記載のフェイスシールド。
【請求項８】
前記長孔の周縁部に、前記マスク本体の側端部が係合して位置決めされる請求項１又は４記載のフェイスシールド。
【請求項９】
前記シールド本体及び前記マスク係止部が、可撓性を有する透明のシート材により一体に形成されたものである請求項１、２、３、４、５、６、７又は８記載のフェイスシールド。
【発明の詳細な説明】
【技術分野】
【０００１】
本発明は、ウイルス等から使用者の顔を保護するフェイスシールドに関する。
【背景技術】
【０００２】
従来から、マスクに取り付けて使用され使用者の目を覆うことにより粉塵を防ぐようにした簡易型の眼部防止部材が知られている（例えば、特許文献１を参照）。
【０００３】
しかしながら、粉塵を防ぐだけであれば目を保護するだけでもよいが、ウイルス等の超微粒子の侵入を防ぐためにはマスクの前面も保護されることが望ましい。
【０００４】
また、従来のものは、マスクにおける左右の各一箇所でのみ眼部防止部材を支持するようにしていたため、マスクに対して眼部防止部材がずれやすいという不具合を有していた。
【先行技術文献】
【特許文献】
【０００５】
【特許文献１】実用新案登録第２５６４２６８号公報
【発明の概要】
【発明が解決しようとする課題】
【０００６】
本発明は、以上のような事情に着目してなされたものであり、マスクに保持させて簡易に使用することができ、使用者の目や口に対してウイルス等の超微粒子や粉塵や体液等の飛沫が前方から侵入し難い形態を有するとともにマスクに対してずれ難い構成を有したフェイスシールドを提供することにある。
【課題を解決するための手段】
【０００７】
すなわち、本発明は次の構成をなしている。
【０００８】
請求項１に記載の発明は、マスク本体の左右両端部に耳掛け用の掛け紐を設けてなるマスクに保持されて使用されるフェイスシールドであって、目保護部及び口保護部が設けられたシールド本体と、このシールド本体の左右両側部に連設されたマスク係止部とを備えたものであり、左右に配置された前記マスク係止部のそれぞれには、前記掛け紐の上部及び下部が係わり合う上下の掛け紐係止部分を備えたものであり、左右に配置された前記上下の掛け紐係止部分が、それぞれ、第一の係止部と、この第一の係止部とは異なる位置に設けられた第二の係止部とを備えているものであり、前記第一の係止部が、上下方向に延びてなり前記掛け紐が挿通される長孔であるフェイスシールドである。
また、請求項２に記載の発明は、マスク本体の左右両端部に耳掛け用の掛け紐を設けてなるマスクに保持されて使用されるフェイスシールドであって、目保護部及び口保護部が設けられたシールド本体と、このシールド本体の左右両側部に連設されたマスク係止部とを備えたものであり、左右に配置された前記マスク係止部のそれぞれには、前記掛け紐の上部及び下部が係わり合う上下の掛け紐係止部分を備えたものであり、左右に配置された前記上下の掛け紐係止部分が、それぞれ、第一の係止部と、この第一の係止部とは異なる位置に設けられた第二の係止部とを備えているものであり、前記第二の係止部が、前記マスク係止部の側端縁から切り込まれたスリットであるフェイスシールドである。
【０００９】
請求項３に記載の発明は、前記目保護部が、使用者における目の前側を全面的に覆い得るものであり、前記口保護部が、前記マスク本体における前側を全面的に覆い得るものである請求項１又は２記載のフェイスシールドである。
【００１０】
請求項４に記載の発明は、前記第一の係止部が、上下方向に延びてなり前記掛け紐が挿通される長孔である請求項２記載のフェイスシールドである。
【００１１】
請求項５に記載の発明は、前記第二の係止部が、前記マスク係止部の側端縁から切り込まれたスリットである請求項１記載のフェイスシールドである。
【００１２】
請求項６に記載の発明は、前記スリットが、少なくとも、上スリットと、この上スリットよりも下に配された下スリットであって、前記上スリット及び前記下スリットが、前記上の掛け紐係止部分における前記第二の係止部及び前記下の掛け紐係止部分における前記第二の係止部のそれぞれに設けられたものであり、前記上スリット又は前記下スリットに前記掛け紐を係止させることにより、前記マスクの使用者の顔に対する高さ位置を調整可能である請求項２又は５記載のフェイスシールドである。
【００１３】
請求項７に記載の発明は、前記上スリットと前記下スリットが略平行に設けられたものであり、前記第一の係止部よりも外側縁側に設けられている請求項６記載のフェイスシールドである。
【００１４】
請求項８に記載の発明は、前記長孔の周縁部に、前記マスク本体の側端部が係合して位置決めされる請求項１又は４記載のフェイスシールドである。
【００１５】
請求項９に記載の発明は、前記シールド本体及び前記マスク係止部が、可撓性を有する透明のシート材により一体に形成されたものである請求項１、２、３、４、５、６、７又は８記載のフェイスシールドである。
【発明の効果】
【００１６】
以上説明したように本発明によれば、マスクに保持させて簡易に使用することができ、使用者の目や口に対してウイルス等の超微粒子や粉塵や体液等の飛沫が前方から侵入し難い形態を有するとともにマスクに対してずれ難い構成を有したフェイスシールドを提供することができるものとなる。
【図面の簡単な説明】
【００１７】
【図１】本発明の一実施形態を示す展開状態の正面図。
【図２】同実施形態における使用状態の側面図。
【図３】同実施形態における使用状態の側面図。
【図４】同実施形態における使用状態の平面図。
【図５】同実施形態における使用方法の概略的な説明図。
【図６】同実施形態における使用方法の概略的な説明図。
【図７】同実施形態における一使用例を説明する部分拡大図。
【図８】本発明の他の実施形態を示す展開状態の正面図。
【図９】本発明の他の実施形態を示す展開状態の正面図。
【図１０】図９における部分拡大図。
【発明を実施するための形態】
【００１８】
以下、本発明の一実施形態を、図１〜７を参照して説明する。
【００１９】
フェイスシールドＳは、マスクＭに保持されて使用されるものである。フェイスシールドＳは、使用者の目や口に対してウイルス等の超微粒子や粉塵や体液等の飛沫が前方から侵入するのを防御する役割を担う。すなわち、フェイスシールドＳは、使用者における目の前側を全面的に覆い得る目保護部１を有するとともにマスク本体Ｈにおける前側を全面的に覆い得る口保護部２を有してなるものである。フェイスシールドＳは、正面視において右側に設けられた目印取付用の貫通孔５を除き、左右対称形状をなしている。
【００２０】
マスクＭは、広く市販されている既知の構成のものである。マスクＭは、一般的に市場に流通している既製品であり、使用者の口及び鼻を被覆し得る形状をなすマスク本体Ｈと、マスク本体Ｈの左右両端部に設けられた耳掛け用の掛け紐Ｋとを備えてなる。
【００２１】
マスク本体Ｈは、正面視において略横長矩形状をなしており、使用者に装着した際には、使用者の顔に沿うように適宜の形態に変形し得るものである。
【００２２】
掛け紐Ｋは、ゴム等により作られた伸縮可能なものであり、一端部がマスク本体Ｈにおける側端部の上部に取り付けられているとともに他端部がマスク本体Ｈにおける側端部の下部に取り付けられている。掛け紐Ｋは、マスク本体Ｈと協働して使用者の耳に引っ掛け可能な環状部分を形成している。
【００２３】
フェイスシールドＳは、使用者における顔の前側を覆うシールド本体Ａと、シールド本体Ａの左右両側部に連設されたマスク係止部Ｂとを備えている。シールド本体Ａ及びマスク係止部Ｂは、可撓性を有する透明の合成樹脂（ＰＥＴ）製シート材により一体に形成されている。フェイスシールドＳは、展開状態において、Ａ４サイズ内に収まる大きさに設定されており、既存の工場において生産し易いものとなっている。
【００２４】
シールド本体Ａは、使用者における目の前側を全面的に覆い得る目保護部１と、目保護部１よりも下に位置し、使用者が装着したマスク本体Ｈにおける前側を全面的に覆い得る口保護部２とを備えたものである。シールド本体Ａは、使用者の額から顎までを前側から覆い得る上下寸法をなしている。
【００２５】
シールド本体Ａは、不使用時においては、図１、図５（ａ）、（ｂ）、及び、図６（ｃ）に示されるように略平板状に展開した展開形状（Ｔ）を採るものであり、使用時においては、図２〜４、及び、図６（ｄ）に示されるように左右方向中間部が左右方向両端部よりも前に位置するように（平面視において前方に向かって凸をなすように）湾曲した湾曲形状（Ｗ）を採るものである。
【００２６】
シールド本体Ａの上端縁ｅ１は、正面視において中間部分が両側部分よりも下に位置するように凹んだ形状をなしている。一方で、シールド本体Ａの下端縁ｅ２は、正面視において中間部分が両側部分よりも下に位置するように下方に向かって凸をなすように膨らんだ形状をなしている。
【００２７】
マスク係止部Ｂは、シールド本体Ａの左右両側部に一体に連続して設けられている。マスク係止部Ｂは、掛け紐Ｋの上部が係わり合う上の掛け紐係止部分３と、掛け紐Ｋの下部が係わり合う下の掛け紐係止部分４とを備えている。
【００２８】
上の掛け紐係止部分３は、第一の係止部すなわち上下方向に延びてなり掛け紐Ｋが挿通される長孔Ｇと、長孔Ｇとは異なる位置である外側に設けられた第二の係止部すなわちマスク係止部Ｂの側端縁から内方に向かって切り込まれた上スリットＪ及び下スリットＰとを備えている。
【００２９】
下の掛け紐係止部分４は、第一の係止部すなわち上下方向に延びてなり掛け紐Ｋが挿通される長孔Ｇと、長孔Ｇとは異なる位置である外側に設けられた第二の係止部すなわちマスク係止部Ｂの側端縁から内方に向かって切り込まれた上スリットＱ及び下スリットＲとを備えている。
【００３０】
長孔Ｇは、左右のマスク係止部Ｂにそれぞれ一つずつ設けられている。換言すれば、左右のマスク係止部Ｂに設けられた各長孔Ｇは、上の掛け紐係止部分３における第一の係止部と下の掛け紐係止部分４における第一の係止部を兼ねたものとなっている。長孔Ｇの上下寸法は、一般的なマスクＭにおけるマスク本体Ｈの上下寸法よりも短く設定されており、長孔Ｇの周縁部とマスク本体Ｈの側端部が係合して適切に位置決めされるようになっている。
【００３１】
上の掛け紐係止部分３を構成する上スリットＪ及び下スリットＰは、掛け紐Ｋの上部と係合し得る部位である。上スリットＪ及び下スリットＰは、略平行に設けられたものであり、長孔Ｇよりも外側縁側に設けられている。上スリットＪ及び下スリットＰの左右方向の寸法は、略同じに設定されている。上スリットＪ及び下スリットＰは、それぞれマスク係止部Ｂの側端縁から内方に向かって線状に延びてなるメインスリットｍ１と、このメインスリットｍ１の延出端に形成された丸孔状の紐保持孔ｍ２とを備えている。
【００３２】
下の掛け紐係止部分４を構成する上スリットＱ及び下スリットＲは、掛け紐Ｋの下部と係合し得る部位である。上スリットＱ及び下スリットＲは、略平行に設けられたものであり、長孔Ｇよりも外側縁側に設けられている。上スリットＱの左右方向の寸法は、下スリットＲの左右方向の寸法よりも長く設定されている。上スリットＱ及び下スリットＲは、それぞれマスク係止部Ｂの側端縁から内方に向かって線状に延びてなるメインスリットｍ１と、このメインスリットｍ１の延出端に形成された丸孔状の紐保持孔ｍ２とを備えている。
【００３３】
この実施形態では、図２及び図３に示すように、上下の掛け紐係止部分３、４における上スリットＪ、Ｑ又は下スリットＰ、Ｒに対して、マスクＭにおける掛け紐Ｋの上部及び下部を選択的に係止させることにより、シールド本体Ａに対するマスクＭの高さ位置を調整可能な構成をなしている。換言すれば、使用者は、上下の掛け紐係止部分３、４における上スリットＪ、Ｑ又は下スリットＰ、Ｒを利用して、自分の顔に対するシールド本体Ａの高さ位置を調整することができるようになっている。
【００３４】
なお、長孔Ｇの上端は、上の掛け紐係止部分３の上スリットＪよりも上に位置しており、長孔Ｇの下端は、下の掛け紐係止部分４の下スリットＲよりも下に位置しているため、マスクＭはフェイスシールドＳに対して上下位置を無理なく変更し得るものとなっている。
【００３５】
また、フェイスシールドＳは、展開状態において、左右の長孔Ｇ間の離間寸法が、一般的なマスクＭにおけるマスク本体Ｈの左右幅寸法よりも大きく設定されている。シールド本体Ａが、展開形状（Ｔ）から湾曲形状（Ｗ）に変形されると、左右のマスク係止部Ｂは互いに相寄る方向に接近することになる。そして、マスク本体Ｈの側端部と長孔Ｇの周縁部とが係わり合って位置決めされると、シールド本体Ａの変形に伴ってマスク本体Ｈとシールド本体Ａとが前後方向に離間し、これらの間には図４において模式的に示すように離間空間ｓｐが形成されることになる。
【００３６】
つまり、フェイスシールドＳは、使用時において、使用者が装着するマスクＭにおけるマスク本体Ｈとシールド本体Ａとの間に離間空間ｓｐが形成され得るようになっているため、使用者に対してシールド本体Ａが接近しすぎることによる圧迫感が好適に抑制されているとともにマスク本体Ｈを通じた使用者の呼吸によってシールド本体Ａが曇り難いものとなっている。
【００３７】
正面視において右側のマスク係止部Ｂには、上の掛け紐係止部分３の上に目印取付用の貫通孔５が設けられている。
【００３８】
続いて、主に図５及び図６を参照しつつ、フェイスシールドＳの使用方法について説明する。
【００３９】
まず、図５（ａ）に示すように、フェイスガードの上（裏面側・背面側）に使用するマスクＭを配置する。
【００４０】
続いて、図５（ｂ）に示すように、マスクＭの掛け紐Ｋを長孔Ｇに挿入し、掛け紐Ｋの基端部以外の部分を、マスク係止部Ｂの表面側（正面側）に移動させる。
【００４１】
次いで、図６（ｃ）に示すように、マスク係止部Ｂの表面側（正面側）に移動させたマスクＭの掛け紐Ｋを、上スリットＪ、Ｑ又は下スリットＰ、Ｒに係わり合わせる。なお、図６（ｃ）の例では、掛け紐Ｋの上部及び下部を、それぞれ上下の掛け紐係止部分３、４における上スリットＪ、Ｑに係わり合わせている。
【００４２】
しかる後に、図６（ｄ）に示すように、マスクＭの掛け紐Ｋを使用者の耳に掛けることにより、当該マスクＭに保持されたフェイスシールドＳを使用し得るものとなる。
【００４３】
なお、フェイスシールドＳがマスクＭに対してより一層ずれ動かないようにするためには、図７に示すように、マスクＭにおける掛け紐Ｋの上部及び下部を、それぞれ上スリットＪ、Ｑ及び下スリットＰ、Ｒに係わり合わせるようにしてもよい。
【００４４】
以上説明したように、本実施形態に係るフェイスシールドＳは、マスク本体Ｈの左右両端部に耳掛け用の掛け紐Ｋを設けてなるマスクＭに保持されて使用されるものである。そして、フェイスシールドＳは、使用者における目の前側を全面的に覆い得る目保護部１を有するとともにマスク本体Ｈにおける前側を全面的に覆い得る口保護部２を有するものである。
【００４５】
このため、マスクＭに保持させて簡易に使用することができ、使用者の目や口に対してウイルス等の超微粒子や粉塵や体液等の飛沫が前方から侵入し難いフェイスシールドＳを提供することができるものとなる。
【００４６】
目保護部１及び口保護部２が設けられたシールド本体Ａと、このシールド本体Ａの左右両側部に連設されたマスク係止部Ｂとを備えたものである。そして、マスク係止部Ｂは、掛け紐Ｋの上部及び下部が係わり合う上下の掛け紐係止部分３、４を備えたものであり、上下の掛け紐係止部分３、４が、それぞれ、第一の係止部（長孔Ｇ）と、この第一の係止部（長孔Ｇ）とは異なる位置に設けられた第二の係止部（上スリットＪ、Ｑ・下スリットＰ、Ｒ）とを備えているものである。
【００４７】
このため、マスクＭの掛け紐Ｋに対して少なくとも二箇所に係止し得ることにより、フェイスシールドＳがマスクＭに対して安定的に保持されるものとなる。
【００４８】
第一の係止部が、上下方向に延びてなり前記掛け紐Ｋが挿通される長孔Ｇであるため、フェイスシールドＳ全体の強度を維持しつつマスクＭに対して安定的に保持され得るものとなっている。また、長孔Ｇは、使用者により視認され易いだけでなく掛け紐Ｋを挿通し易い形態をなしているため、フェイスシールドＳの円滑な使用に寄与し得るものとなっている。
【００４９】
第二の係止部が、マスク係止部Ｂの側端縁から切り込まれたスリット（上スリットＪ、Ｑ・下スリットＰ、Ｒ）であるため、掛け紐Ｋを容易に装着し得るものとなっている。
【００５０】
スリットが、少なくとも、上スリットＪ、Ｑと、この上スリットＪ、Ｑよりも下に配された下スリットＰ、Ｒであり、上スリットＪ、Ｑ又は下スリットＰ、Ｒに掛け紐Ｋを係止させることにより、マスクＭの高さ位置を調整可能な構成をなしているため、使用者の快適な使用に寄与し得るものとなっている。
【００５１】
上スリットＪ、Ｑと下スリットＰ、Ｒが略平行に設けられたものであり、長孔Ｇよりも外側縁側に設けられている。このため、掛け紐Ｋを好適に装着し得るものとなっている。
【００５２】
長孔Ｇの周縁部に、マスク本体Ｈの側端部が係合して位置決めされるものとなっている。このため、マスクＭをフェイスシールドＳに対して容易に位置決めし得るものとなっている。
【００５３】
シールド本体Ａ及びマスク係止部Ｂが、可撓性を有する透明のシート材により一体に形成されたものである。このため、簡易な構成によって所期の目的を達成し得るものとなっている。しかも、いわゆる一枚ものの合成樹脂製の透明シート材を用いているため、所定の剛性を維持しつつ軽量化を実現し易いものとなっている。
【００５４】
なお、本発明は、以上に詳述した実施形態に限られるものではない。
【００５５】
シールド本体及びマスク係止部からなるフェイスシールドの全体的な形状は、本発明の趣旨を逸脱しない範囲で適宜の形状に設定し得るものである。
【００５６】
マスク係止部は、マスクと係り合って当該マスクに保持されるものであればよく、その具体的な形態は種々設定し得るものである。
【００５７】
上下の掛け紐係止部分を構成する第一、第二の係止部の具体的な態様は、上述した実施形態のものに限られるものではない。
【００５８】
例えば、第一の係止部は長孔に限られるのではなく、スリットであってもよい。
【００５９】
ここで、図８に示すフェイスシールドＳは、上下の掛け紐係止部分３、４にそれぞれ設けた第一、第二の係止部を、スリットｓ１、ｓ２により構成したものである。マスク係止部Ｂの側端縁から略水平方向に切り込まれた第一の係止部であるスリットｓ１の延出端ｔ１の位置は、第一の係止部と略平行に設けられた第二の係止部であるスリットｓ２の延出端ｔ２の位置よりも内側（中央部寄りの位置）に設定されている。かかる構成のものであっても、掛け紐Ｋの上部及び下部を、それぞれスリットｓ１、ｓ２の各延出端ｔ１、ｔ２によって二箇所で係止し得るものとなるため、使用者が装着するマスクＭに対してフェイスシールドＳがずれ動き難いものとなる。
【００６０】
第二の係止部を構成する上下の掛け紐係止部分の上スリット及び下スリットは、種々の態様を採り得るものである。
【００６１】
ここで、図９及び図１０に示すフェイスシールドＳは、図１〜７に示された実施形態のものと比較して、マスク係止部Ｂの上下の掛け紐係止部分３、４における上スリットＪ、Ｑ、及び、下スリットＰ、Ｒの形態が異なっている。
【００６２】
上の掛け紐係止部分３を構成する上スリットＪ及び下スリットＰは、それぞれマスク係止部Ｂの側端縁から内方に向かって斜め直線状に延びてなるメインスリットｍ１と、メインスリットｍ１の延出端に連続して設けられたＶ字状をなす延出端スリットｍ２とを備えている。上スリットＪ及び下スリットＰは、互いに平行に設けられており、且つ、略同一形状をなしている。
【００６３】
メインスリットｍ１は、マスク係止部Ｂの側端縁から中央部すなわちシールド本体Ａ側に向かって漸次下方に位置するように傾斜した姿勢をなしている。メインスリットｍ１の外側端部が位置しているマスク係止部Ｂの側端縁には、メインスリットｍ１に対してマスクＭの掛け紐Ｋを導入し易くするための楔状ないし三角形状に切り欠かれた切欠部ｊ１、ｐ１が形成されている。
【００６４】
この実施形態では、メインスリットｍ１が内方に向かって斜め下方に延びているため、マスク係止部Ｂの側端縁におけるメインスリットｍ１の下側部分ｊ１１、ｐ１１を丸く形成するだけで、掛け紐Ｋをメインスリットｍ１に対して好適に案内させ得る所望の切欠部ｊ１、ｐ１を容易に形成できるようになっている。
【００６５】
延出端スリットｍ２は、上スリットＪ及び下スリットＰの各内方端に設けられており基材である合成樹脂製のシート材を裂け難くするものである。延出端スリットｍ２は、メインスリットｍ１の延出端から内方に向かって斜め上方に直線状に延びてなる第一の延出端スリット構成部分ｍ２１と、第一の延出端スリット構成部分ｍ２１の延出端から下方すなわち鉛直方向に直線状に延びてなる第二の延出端スリット構成部分ｍ２２とを備えている。
【００６６】
第二の延出端スリット構成部分ｍ２２の寸法は、第一の延出端スリット構成部分ｍ２１の寸法よりも長く設定されている。また、第二の延出端スリット構成部分ｍ２２の長さ（上下寸法）は、一般的なマスクＭの掛け紐Ｋの直径よりも小さく設定されている。このため、延出端スリットｍ２は、第二の延出端スリット構成部分ｍ２２を主体として、マスクＭの掛け紐Ｋを好適に保持し得るものとなり、マスク係止部Ｂに対してマスクＭの掛け紐Ｋがずれ動き難いものとなっている。
【００６７】
下の掛け紐係止部分４を構成する上スリットＱ及び下スリットＲは、それぞれマスク係止部Ｂの側端縁から内方に向かって斜め直線状に延びてなるメインスリットｍ１と、メインスリットｍ１の延出端に連続して設けられたＶ字状をなす延出端スリットｍ２とを備えている。上スリットＱ及び下スリットＲは、互いに平行に設けられており、且つ、略同一形状をなしている。
【００６８】
メインスリットｍ１は、マスク係止部Ｂの側端縁から中央部すなわちシールド本体Ａ側に向かって漸次下方に位置するように傾斜した姿勢をなしている。メインスリットｍ１の外側端部が位置しているマスク係止部Ｂの側端縁には、メインスリットｍ１に対してマスクＭの掛け紐Ｋを導入し易くするための楔状ないし三角形状に切り欠かれた切欠部ｑ１、ｒ１が形成されている。
【００６９】
この実施形態では、メインスリットｍ１が内方に向かって斜め下方に延びているため、マスク係止部Ｂの側端縁におけるメインスリットｍ１の下側部分ｑ１１、ｒ１１を丸く形成するだけで、掛け紐Ｋをメインスリットｍ１に対して好適に案内させ得る所望の切欠部ｑ１、ｒ１を容易に形成できるようになっている。
【００７０】
延出端スリットｍ２は、上スリットＪ及び下スリットＰの各内方端に設けられており基材である合成樹脂製のシート材を裂け難くするものである。延出端スリットｍ２は、メインスリットｍ１の延出端から内方に向かって斜め上方に直線状に延びてなる第一の延出端スリット構成部分ｍ２１と、第一の延出端スリット構成部分ｍ２１の延出端から下方すなわち鉛直方向に直線状に延びてなる第二の延出端スリット構成部分ｍ２２とを備えている。
【００７１】
第二の延出端スリット構成部分ｍ２２の寸法は、第一の延出端スリット構成部分ｍ２１の寸法よりも長く設定されている。また、第二の延出端スリット構成部分ｍ２２の長さ（上下寸法）は、一般的なマスクＭの掛け紐Ｋの直径よりも小さく設定されている。このため、延出端スリットｍ２は、第二の延出端スリット構成部分ｍ２２を主体として、マスクＭの掛け紐Ｋを好適に保持し得るものとなり、マスク係止部Ｂに対してマスクＭの掛け紐Ｋがずれ動き難いものとなっている。
【００７２】
上述した図９及び図１０に示される実施形態のものであっても、フェイスシールドＳがマスクＭに対してずれ動き難いものとなるため、所期の目的を達成し得るものとなる。
【００７３】
上下の掛け紐係止部分に設けられた第二の係止部は、上下二つのスリットにより構成されていなくてもよい。例えば、第二の係止部は、一つのスリットにより構成されたものであってもよいし、三つ以上の複数のスリットにより構成されたものであってもよい。
【００７４】
その他、各部の具体的構成についても上記実施形態に限られるものではなく、本発明の趣旨を逸脱しない範囲で種々変形が可能である。
【符号の説明】
【００７５】
Ｓ…フェイスシールド
Ａ…シールド本体
Ｂ…マスク係止部
Ｍ…マスク
Ｈ…マスク本体
Ｋ…掛け紐
【要約】
【課題】マスクに保持させて簡易に使用することができ、使用者の目や口に対してウイルス等が前方から侵入し難く、マスクに対してずれ難い構成を有したフェイスシールドを提供する。
【解決手段】マスク本体Ｈの左右両端部に耳掛け用の掛け紐Ｋを設けてなるマスクＭに保持されて使用されるフェイスシールドＳであり、目保護部１及び口保護部２が設けられたシールド本体Ａと、シールド本体Ａの左右両側部に連設されたマスク係止部Ｂとを備えている。そして、マスク係止部Ｂは、掛け紐Ｋの上部及び下部が係わり合う上下の掛け紐係止部分３、４を備えたものであり、上下の掛け紐係止部分３、４が、それぞれ、第一の係止部である長孔Ｇと、第一の係止部である長孔Ｇとは異なる位置に設けられた第二の係止部であるスリット（上スリットＪ、Ｑ・下スリットＰ、Ｒ）とを有するものとなっている。
【選択図】図２【図１】
0006957124.tif 000002
【図２】
0006957124.tif 000003
【図３】
0006957124.tif 000004
【図４】
0006957124.tif 000005
【図５】
0006957124.tif 000006
【図６】
0006957124.tif 000007
【図７】
0006957124.tif 000008
【図８】
0006957124.tif 000009
【図９】
0006957124.tif 000010
【図１０】
0006957124.tif 000011